(57)【要約】      （修正有）【課題】多数の電子顕微鏡画像の中から所望の電子顕微鏡画像を容易に且つ迅速に検索するための検索方法を提供する。【解決手段】予め、目的の画像に類似した画像を参照画像として登録しておく。保存された電子顕微鏡画像から１枚ずつ取り出し、それを参照画像と比較する。両者が一致する場合に、その画像を目的の画像であると判定する。【選択図】図３
2010009812.tif 000002
【特許請求の範囲】
【請求項１】
少なくとも２つの参照画像を一時的にメモリに登録することと、
記憶装置に保存された電子顕微鏡画像の１つを取り出すことと、
該電子顕微鏡画像と前記参照画像の一致度を計算することと、
前記電子顕微鏡画像と前記参照画像の一致度が所定の範囲にあるとき前記電子顕微鏡画像は前記参照画像と一致すると判定することと、
前記参照画像と一致すると判定した電子顕微鏡画像を、目的の画像として前記記憶装置に保存することと、
を含む電子顕微鏡画像検索方法。
【請求項２】
請求項１記載の電子顕微鏡画像検索方法において、
前記少なくとも２つの参照画像のうちの少なくとも１つと一致する電子顕微鏡画像を目的の画像として登録することを特徴とする電子顕微鏡画像検索方法。
【請求項３】
請求項１記載の電子顕微鏡画像検索方法において、
前記少なくとも２つの参照画像の全てと一致する電子顕微鏡画像を目的の画像として登録することを特徴とする電子顕微鏡画像検索方法。
【請求項４】
請求項１記載の電子顕微鏡画像検索方法において、
前記電子顕微鏡画像と前記参照画像の一致度が所定の範囲にないとき、前記参照画像を回転させてから、前記電子顕微鏡画像と前記参照画像の一致度を計算することを特徴とする電子顕微鏡画像検索方法。
【請求項５】
請求項１記載の電子顕微鏡画像検索方法において、
前記電子顕微鏡画像と前記参照画像の一致度が所定の範囲にないとき、前記参照画像を拡大又は縮小させてから、前記電子顕微鏡画像と前記参照画像の一致度を計算することを特徴とする電子顕微鏡画像検索方法。
【請求項６】
請求項１記載の電子顕微鏡画像検索方法において、
更に、目的の画像を参照画像と共に一覧表示すること、を有することを特徴とする電子顕微鏡画像検索方法。
【請求項７】
少なくとも１つの参照画像を一時的にメモリに登録する参照画像登録ステップと、
記憶装置に保存された電子顕微鏡画像の１つを取り出す画像取り出しステップと、
該電子顕微鏡画像と前記参照画像の一致度を計算する一致度計算ステップと、
前記電子顕微鏡画像と前記参照画像の一致度が所定の範囲にあるとき前記電子顕微鏡画像は前記参照画像と一致すると判定し、前記電子顕微鏡画像と前記参照画像の一致度が所定の範囲にないとき前記電子顕微鏡画像は前記参照画像と一致しないと判定する判定ステップと、
前記参照画像と一致すると判定した電子顕微鏡画像を、目的の画像として前記記憶装置に保存する目的画像登録ステップと、
を含む電子顕微鏡画像検索方法。
【請求項８】
請求項７記載の電子顕微鏡画像検索方法において、
前記判定ステップにて、前記電子顕微鏡画像は前記参照画像と一致しないと判定したとき、前記参照画像を回転させてから、前記一致度計算ステップと前記判定ステップを繰り返すことを特徴とする電子顕微鏡画像検索方法。
【請求項９】
請求項７記載の電子顕微鏡画像検索方法において、
前記判定ステップにて、前記電子顕微鏡画像は前記参照画像と一致しないと判定したとき、前記参照画像を拡大又は縮小させてから、前記一致度計算ステップと前記判定ステップを繰り返すことを特徴とする電子顕微鏡画像検索方法。
【請求項１０】
電子銃と、照射系レンズと、試料を支持する試料台と、結像系レンズと、カメラと、電子顕微鏡制御コンピュータと有する透過型電子顕微鏡装置において、
前記電子顕微鏡制御コンピュータは、演算装置、表示モニタ、メモリ、及び、記憶装置を有し、
前記演算装置は、参照画像を前記メモリに登録し、前記記憶装置に保存された電子顕微鏡画像の１つを取り出し、該電子顕微鏡画像と前記参照画像の一致度を計算し、前記電子顕微鏡画像と前記参照画像の一致度が所定の範囲にあるとき前記電子顕微鏡画像は前記参照画像と一致すると判定し、前記参照画像と一致すると判定した電子顕微鏡画像を、目的の画像として前記記憶装置に保存すること特徴とする透過型電子顕微鏡装置。
【請求項１１】
請求項１０記載の透過型電子顕微鏡装置において、
前記演算装置は、少なくとも２つの参照画像のうちの少なくとも１つと一致する電子顕微鏡画像を目的の画像として登録することを特徴とする透過型電子顕微鏡装置。
【請求項１２】
請求項１０記載の透過型電子顕微鏡装置において、
前記演算装置は、少なくとも２つの参照画像の全てと一致する電子顕微鏡画像を目的の画像として登録することを特徴とする透過型電子顕微鏡装置。
【請求項１３】
請求項１０記載の透過型電子顕微鏡装置において、
前記演算装置は、前記電子顕微鏡画像と前記参照画像の一致度が所定の範囲にないとき、前記参照画像を回転させてから、前記電子顕微鏡画像と前記参照画像を比較することを特徴とする透過型電子顕微鏡装置。
【請求項１４】
請求項１０記載の透過型電子顕微鏡装置において、
前記演算装置は、前記電子顕微鏡画像と前記参照画像の一致度が所定の範囲にないとき、前記参照画像を拡大又は縮小させてから、前記電子顕微鏡画像と前記参照画像を比較することを特徴とする透過型電子顕微鏡装置。
【発明の詳細な説明】
【技術分野】
【０００１】
本発明は、電子顕微鏡装置に関し、特に、電子顕微鏡画像の検索方法に関する。
【背景技術】
【０００２】
電子顕微鏡装置には、日々撮像した膨大な枚数の電子顕微鏡画像が保存されている。その中から、所望の電子顕微鏡画像を探す作業は、極めて煩雑である。通常、検索条件として観察条件を用いる。しかしながら、観察条件が既知でない場合には、膨大な枚数の電子顕微鏡画像を１枚ずつ表示し、画像を肉眼で確認する必要がある。また、観察条件が既知の場合でも、画像を肉眼で確認しながら、所望の画像を探し出さなければならない。
【発明の開示】
【発明が解決しようとする課題】
【０００３】
本発明の目的は、多数の電子顕微鏡画像の中から所望の電子顕微鏡画像を容易に且つ迅速に検索するための検索方法を提供することにある。
【課題を解決するための手段】
【０００４】
本発明は電子顕微鏡画像の検索方法に関する。本発明によると、予め、目的の画像に類似した画像を参照画像として登録しておく。保存された電子顕微鏡画像から１枚ずつ取り出し、それを参照画像と比較する。両者が一致する場合に、その画像を目的の画像であると判定する。
【０００５】
本発明によると、参照画像を複数用意してもよい。また、参照画像を回転、拡大、縮小等の処理を行ってから、取り出した画像と比較してもよい。
【発明の効果】
【０００６】
本発明によると、多数の電子顕微鏡画像の中から所望の電子顕微鏡画像を容易に且つ迅速に検索することができる。
【発明を実施するための最良の形態】
【０００７】
図１を参照して、本発明による透過型電子顕微鏡装置の例を説明する。本例の透過電子顕微鏡装置は、電子銃１、照射系レンズ３、試料５を支持する試料台４、結像系レンズ７、及び、ＴＶカメラ８を有する。透過型電子顕微鏡装置は、更に、電子銃１および電子線２を制御する電子線発生機構６、撮影倍率を調整する電子線調整機構１０、所望の視野を得るために試料台４を移動する試料移動機構１１、鏡体内を真空排気する真空排気機構１２、及び、透過型電子顕微鏡制御コンピュータ（以下単にコンピュータという）１３を有する。コンピュータ１３は、演算装置（ＣＰＵ）１３ａ、表示用ビデオＲＡＭ（ＶＲＡＭ）１３ｂ、表示モニタ１３ｃ、メモリ（ＲＡＭ）１３ｄ、プログラム１３ｅ、画像取込ボード１３ｆ、及び、磁気ディスク１３ｇをする。コンピュータは、透過電子顕微鏡を制御する制御装置の一部であり、本発明を実施するために新たに追加したものではない。
【０００８】
電子銃１より放出された電子線２は、照射系レンズ３によって収束され、試料台４に装着された試料５に照射される。試料５を透過した電子線２は、結像系レンズ７により拡大され、ＴＶカメラ８によって、撮影され、試料の透過像が得られる。透過像は、画像取込ボード１３ｆを介して画像データとしてメモリ１３ｄに取り込まれる。メモリ１３ｄに取り込まれた透過像は、表示用ＶＲＡＭ１３ｂに転送され表示モニタ１３ｃに表示されるとともに、磁気ディスク１３ｇに保存される。
【０００９】
本発明による検索方法では、参照画像を予め登録する。例えば、メモリ１３ｄに登録する。次に、磁気ディスク１３ｇに保存されている画像を１枚ずつ取り出し、参照画像と比較する。比較の結果、参照画像と一致する画像を、目的の画像として、登録する。更に、目的の画像及びその縮小画像の一覧表を作成し、登録する。この一覧表には、参照画像及びその縮小画像を含めてよい。尚、本発明による検索方法は、プログラム１３ｅに格納されている。本発明による検索方法は、演算装置１３ａによって実行される。以下に、透過顕微鏡像を検索する方法を説明するが、本発明による検索方法は、走査像を検索する場合にも適用可能である。
【００１０】
図２Ａは電子顕微鏡による回折画像を模式的に示す。この回折画像は、中心のスポット２０１と周囲のスポット２０２を有する。周囲のスポット２０２が、中心のスポット２０１に対して点対称の位置に配置されるように、試料位置を調整し撮像している。このような電子顕微鏡回折画像の場合、試料が回転しても同様な回折パターンが得られる。図２Ａに示す回折画像を参照画像とする場合、参照画像を６０度回転させれば、参照画像と同一又は類似の回折パターンを検出することできる。図２Ｂは、小型球形ウイルスの電子顕微鏡透過画像を模式的に示す。球形ウイルスの画像では、１つの画像内に、同一の形状の多数のウイルス像２０３が現れる。このように、球形ウイルスの画像を探し出す場合には、１つの球形ウイルスの画像を参照画像とすればよい。
【００１１】
図３を参照して、本発明による電子顕微鏡画像の検索方法の第１の例を説明する。本例の検索方法では、２つの参照画像を用意し、２つの参照画像の両方に一致する画像を目的の画像とする。ステップＳ１１にて、複数の参照画像を登録し、一致度の範囲の設定を行う。参照画像は、探し出したい画像、即ち、目的の画像を探し出すために用いる画像である。参照画像は、目的の画像に可能な限り類似した画像が好ましい。しかしながら、実際には、目的の画像に極めて類似した画像を登録するのは困難である場合がある。参照画像は、目的の画像の特徴を示す一部分を含む画像であってよい。例えば、目的の画像が、繰返しパターンを含む場合、参照画像は、繰返しパターンの１つを含む画像でもよい。
【００１２】
ここでは、２つの参照画像を登録する場合を説明する。しかしながら、３つ以上の参照画像を登録してもよい。
【００１３】
ステップＳ１２にて、磁気ディスク１３ｇに保存されている複数の電子顕微鏡画像の中から、１枚の画像を取り出す。ステップＳ１３にて、この１枚の画像を、第１及び第２の参照画像と、それぞれ、比較する。即ち、この１枚の画像と、第１及び第２の参照画像の一致度を、それぞれ、計算する。２つの画像の一致度の計算方法は既知であり、例えば、特開２００５−３２７４９６号公報、特開２００６−１１４３４８号公報等に記載されている。一致度は、基本的には、２つの画像を認識し、又は、画像データを用いて、相関係数を求めることより得られる。しかしながら、一致度は、相関係数を用いる方法に限定するものではない。例えば、パターンマッチング法では、２つの画像の差画像を求めて、一致度を計算する。
【００１４】
ステップＳ１４にて、取り出した画像と第１の参照画像との一致度が、ステップＳ１１にて設定した範囲にあるか否かを判定する。一致度が範囲内にある場合には、この画像は、第１の参照画像と一致すると判断し、ステップＳ１５に進む。一致度が範囲内にない場合には、この画像は、第１の参照画像と一致しないと判断し、ステップＳ１７に進む。
【００１５】
ステップＳ１５にて、取り出した画像と第２の参照画像との一致度が、ステップＳ１１にて設定した範囲にあるか否かを判定する。一致度が範囲内にある場合には、この画像は、第２の参照画像と一致すると判断し、ステップＳ１６に進む。一致度が範囲内にない場合には、この画像は、第２の参照画像と一致しないと判断し、ステップＳ１７に進む。
【００１６】
ステップＳ１６にて、この画像を縮小し、一覧表に表示する。また、この画像及び縮小画像を、磁気ディスク１３ｇに登録する。即ち、この画像は、第１及び第２の参照画像と一致するため、磁気ディスクに登録する。
【００１７】
ステップＳ１７にて、磁気ディスク１３ｇに保存されている全ての画像の検索が完了したか否かを判定する。全ての画像の検索が完了した場合には、この処理を終了し、全ての画像の検索が完了していない場合には、ステップＳ１２に戻る。ステップＳ１２では、磁気ディスク１３ｇに保存されている画像から次の画像を取り出す。次の画像について、ステップＳ１３〜ステップＳ１６を繰返す。
【００１８】
図４を参照して、本発明による電子顕微鏡画像の検索方法の第２の例を説明する。本例の検索方法では、２つの参照画像を用意し、２つの参照画像の少なくとも一方に一致する画像を目的の画像とする。ステップＳ２１からステップＳ２３は、図３のステップＳ１１からステップＳ１３と同様である。また、ステップＳ２４からステップＳ２７の処理の内容は、図３のステップＳ１４からステップＳ１７の内容と同様である。
【００１９】
しかしながら、本例では、ステップＳ２４及びステップＳ２５において、判定結果により、次に進むステップが、図３の場合と異なる。ステップＳ２４にて、取り出した画像と第１の参照画像との一致度が、ステップＳ２１にて設定した範囲にあるか否かを判定する。一致度が範囲内にある場合には、この画像は、第１の参照画像と一致すると判断し、ステップＳ２６に進む。一致度が範囲内にない場合には、この画像は、第１の参照画像と一致しないと判断し、ステップＳ２５に進む。
【００２０】
ステップＳ２５にて、取り出した画像と第２の参照画像との一致度が、ステップＳ２１にて設定した範囲にあるか否かを判定する。一致度が範囲内にある場合には、この画像は、第２の参照画像と一致すると判断し、ステップＳ２６に進む。一致度が範囲内にない場合には、この画像は、第２の参照画像と一致しないと判断し、ステップＳ２７に進む。
【００２１】
ステップＳ２６にて、この画像を縮小し、一覧表に表示する。また、この画像及び縮小画像を、磁気ディスク１３ｇに登録する。即ち、この画像は、第１及び第２の参照画像の少なくとも一方と一致するため、磁気ディスクに登録する。
【００２２】
ステップＳ２７にて、磁気ディスク１３ｇに保存されている全ての画像の検索が完了したか否かを判定する。全ての画像の検索が完了した場合には、この処理を終了し、全ての画像の検索が完了していない場合には、ステップＳ２２に戻る。ステップＳ２２では、磁気ディスク１３ｇに保存されている画像から次の画像を取り出す。
【００２３】
図５を参照して、本発明による電子顕微鏡画像の検索方法の第３の例を説明する。本例の検索方法では、参照画像を所定の角度毎に回転させながら、それと一致する画像を探す。図２Ａに示す回折画像を参照画像とする場合、参照画像を６０度回転させればよい。ステップＳ３１にて、参照画像と一致度の範囲と参照画像の回転角の設定を行う。ここで設定する参照画像の回転角は、インクリメンタルな回転角度と、累積の回転角度の限界である。インクリメンタルな回転角度は、１回の処理にて回転させる角度の単位であり、例えば、１０度、１５度、３０度、６０度等である。累積の回転角度は、回転角度の累積値の限界であり、例えば、３６０度、１８０度等である。ここでは、１つの参照画像を登録する場合を説明する。しかしながら、２つ以上の参照画像を登録してもよい。
【００２４】
ステップＳ３２にて、磁気ディスク１３ｇに保存されている複数の電子顕微鏡画像の中から、１枚の画像を取り出す。ステップＳ３３にて、参照画像を回転させる。ここでは、ステップＳ３１にて設定したインクリメンタルな回転角度だけ回転させる。例えば、１０度、１５度、３０度等である。但し、第１回目の処理では、回転角度はゼロである。即ち、参照画像を回転させない。ステップＳ３４にて、参照画像の回転角度が、ステップＳ３１にて設定した回転角度の限界に達したか否かを判定する。例えば、ステップＳ３１にて、回転角度の限界として３６０度を設定した場合、参照画像が既に３６０度回転しているか否かを判定する。回転角度が、限界の達していない場合には、ステップＳ３５に進み、回転角度が、限界に達した場合には、ステップＳ３８に進む。ステップＳ３５にて、取り出した画像を参照画像と比較する。即ち、この１枚の画像と参照画像の一致度を計算する。ステップＳ３６にて、参照画像との一致度が、ステップＳ３１にて設定した範囲にあるか否かを判定する。一致度が範囲内にある場合には、この画像は参照画像と一致すると判断し、ステップＳ３７に進む。一致度が範囲内にない場合には、この画像は参照画像と一致しないと判断し、ステップＳ３３に戻る。ステップＳ３３にて、参照画像を回転させる。次に、ステップＳ３４、ステップＳ３５及びステップＳ３６を繰り返す。ステップＳ３４にて、参照画像の回転角度が、ステップＳ３１にて設定した回転角度の限界に達したと判定した場合には、参照画像と一致する画像が見つからない場合でも、ステップＳ３８に進む。一方、ステップＳ３６にて、参照画像と一致する画像が見つかった場合には、ステップＳ３７に進む。ステップＳ３７にて、この画像を縮小し、一覧表に表示する。また、この画像及び縮小画像を、磁気ディスク１３ｇに登録する。ステップＳ３８は、図３のステップＳ１７と同様である。
【００２５】
図６を参照して、本発明による電子顕微鏡画像の検索方法の第４の例を説明する。磁気ディスク１３ｇには、様々な倍率の画像が保存されている。本例の検索方法では、参照画像を拡大または縮小させながら、それと一致する画像を探す。ステップＳ４１にて、参照画像と一致度の範囲と参照画像の拡大率の設定を行う。ここで設定する参照画像の拡大率は、１／１０倍から１０倍まで１９段階である。拡大率１／１０倍では、実際には参照画像は縮小される。従って、拡大率は、参照画像が拡大される場合ばかりでなく縮小される場合も含む。尚、１９段階は一例であり、それ以外の段階であってもよい。ここでは、１つの参照画像を登録する場合を説明する。しかしながら、２つ以上の参照画像を登録してもよい。
【００２６】
ステップＳ４２にて、磁気ディスク１３ｇに保存されている複数の電子顕微鏡画像の中から、１枚の画像を取り出す。ステップＳ４３にて、拡大率を変更する。即ち、拡大率を１段階上げる。但し、第１回目の処理では、拡大率の変更は行わない。即ち、参照画像の拡大率を変更しない。ステップＳ４４にて、参照画像の拡大率が、ステップＳ４１にて設定した最大拡大率に達したか否かを判定する。即ち、１９段階目に達したか否かを判定する。拡大率が最大拡大率に達していない場合には、ステップＳ４５に進み、拡大率が最大拡大率に達した場合には、ステップＳ４８に進む。ステップＳ４５にて、取り出した画像を参照画像と比較する。即ち、取り出した画像と参照画像の一致度を計算する。ステップＳ４６にて、取り出した画像と参照画像との一致度が、ステップＳ４１にて設定した範囲にあるか否かを判定する。一致度が範囲内にある場合には、この画像は参照画像と一致すると判断し、ステップＳ４７に進む。一致度が範囲内にない場合には、この画像は参照画像と一致しないと判断し、ステップＳ４３に戻る。ステップＳ４３にて、参照画像を拡大する。ステップＳ４４、ステップＳ４５及びステップＳ４６を繰り返す。ステップＳ４４にて、参照画像の拡大率が、ステップＳ４１にて設定した最大拡大率に達したと判定した場合には、参照画像と一致する画像が見つからない場合でも、ステップＳ４８に進む。一方、ステップＳ４６にて、参照画像と一致する画像が見つかった場合には、ステップＳ４７に進む。ステップＳ４７にて、この画像を縮小し、一覧表に表示する。また、この画像及び縮小画像を、磁気ディスク１３ｇに登録する。ステップＳ４８は、図３のステップＳ１７と同様である。
【００２７】
本例では、最初は、参照画像の拡大率は１／１０倍である。ステップＳ４３に戻ると、自動的に参照画像は拡大される。即ち、１段階上の拡大率になる。こうして、ステップＳ４３に戻る毎に、拡大率は１段階上がる。しかしながら、最初に、参照画像の拡大率は１０倍に設定し、ステップＳ４３に戻ると、自動的に参照画像は縮小してもよい。即ち、ステップＳ４３に戻ると、１段階下の拡大率になるように構成してもよい。この場合、ステップＳ４４では、参照画像の拡大率が、最小拡大率に達したか否かを判定する。
【００２８】
図７を参照して、本発明による電子顕微鏡画像の検索方法の第５の例を説明する。本例では、目的の対象物が撮像されている画像を探し出す。以下に、図２Ｂに示すように、ウイルスの像が含まれる画像を検索する場合を例として説明する。目的の画像は、少なくとも探し出す対象であるウイルスが含まれていればよく、それ以外の画像領域に何が撮像されているかは重要ではない。ステップＳ５１にて、参照画像と一致度の範囲とウイルスの検出数の設定を行う。参照画像は、１個のウイルスの画像を参照画像とする。従って、目的の画像は、少なくともウイルスの像を含むが、参照画像に類似している必要はない。ウイルス検出数は、目的の画像に含まれる必要があるウイルスの像の数の最小値である。例えば、検出数を１０個に設定した場合を想定する。目的の画像には、少なくとも１０個のウイルスの像が含まれる必要がある。ここでは、１つの参照画像を登録する場合を説明する。しかしながら、２つ以上の参照画像を登録してもよい。
【００２９】
ステップＳ５２にて、磁気ディスク１３ｇに保存されている複数の電子顕微鏡画像の中から、１枚の画像を取り出す。ステップＳ５３にて、取り出した画像を、参照画像と比較する。即ち、取り出した画像に含まれる様々な要素の像と参照画像の一致度を計算する。本例では、この取り出した画像に含まれる様々な要素の像とウイルスの像の一致度を計算する。ステップＳ５４にて、参照画像との一致度が、ステップＳ５１にて設定した範囲にあるか否かを判定する。一致度が範囲内にある場合には、取り出した画像に含まれるウイルスの像は参照画像と一致すると判断し、ステップＳ５５に進む。一致度が範囲内にない場合には、この画像に含まれるウイルスの像は参照画像と一致しないと判断し、ステップＳ５７に進む。ステップＳ５５にて、ウイルスの検出数が、ステップＳ５１にて設定したウイルス検出数以上であるか否かを判定する。設定した検出数以上である場合には、ステップＳ５６に進む。設定した検出数未満である場合には、ステップＳ５７に進む。即ち、取り出した画像にウイルスが含まれていない場合ばかりでなく、ウイルスが含まれている場合であっても、その検出数が少ない場合には、ステップＳ５７に進む。
【００３０】
ステップＳ５６にて、この画像を縮小し、一覧表に表示する。また、この画像及び縮小画像を、磁気ディスク１３ｇに登録する。即ち、この画像は、検出対象の像を含むため、磁気ディスクに登録する。ステップＳ５７は、図３のステップＳ１７と同様である。
【００３１】
本例の検索方法は、上述のように検出対象のウイルスを含む画像を検索する場合に好適であるが、図２Ａに示した像のように、繰返しパターンを含む画像を検索する場合にも使用可能である。
【００３２】
本発明の画像検索方法では、シングルタスク（シングルＣＰＵ）によって検索及び一致度の計算を実行してもよいが、マルチタスク（マルチＣＰＵ）によって、複数の参照画像に対する一致度の計算を実行することにより、演算処理を並列分散することができる。
【００３３】
本発明の画像検索方法は、走査像と透過像のいずれを検索する場合に使用することができる。本発明の画像検索方法によると、観察条件を忘れても目的の画像に対する検索効率が向上する。
【００３４】
以上本発明の例を説明したが本発明は上述の例に限定されるものではなく特許請求の範囲に記載された発明の範囲にて様々な変更が可能であることは当業者によって容易に理解されよう。
【図面の簡単な説明】
【００３５】
【図１】本発明の透過電子顕微鏡装置の構成例を示す図である。
【図２Ａ】本発明の透過電子顕微鏡装置による回折画像の例を示す模式図である。
【図２Ｂ】本発明の透過電子顕微鏡装置によるウイルスの透過像の例を示す模式図である。
【図３】本発明の画像検索方法の第１の例を説明する図である。
【図４】本発明の画像検索方法の第２の例を説明する図である。
【図５】本発明の画像検索方法の第３の例を説明する図である。
【図６】本発明の画像検索方法の第４の例を説明する図である。
【図７】本発明の画像検索方法の第５の例を説明する図である。
【符号の説明】
【００３６】
１…電子銃、２…電子線、３…照射系レンズ、４…試料台、５…試料、６…電子線発生機構、７…結像系レンズ、８…ＴＶカメラ、１０…電子線調整機構、１１…試料移動機構、１２…真空排気機構、１３…透過型電子顕微鏡制御コンピュータ、１３ａ…演算装置（ＣＰＵ）、１３ｂ…表示用ビデオＲＡＭ（ＶＲＡＭ）、１３ｃ…表示モニタ、１３ｄ…メモリ、１３ｅ…プログラム、１３ｆ…画像取込ボード、１３ｇ…磁気ディスク
【図１】
2010009812.tif 000003
【図２Ａ】
2010009812.tif 000004
【図２Ｂ】
2010009812.tif 000005
【図３】
2010009812.tif 000006
【図４】
2010009812.tif 000007
【図５】
2010009812.tif 000008
【図６】
2010009812.tif 000009
【図７】
2010009812.tif 000010